(57)【要約】【課題】  通常のトイレットペイパホルダ−を所用するときは手動で巻紙ペ−パを回動し任意の長さに繰り出し紙切板で切り離し所用するが繰り出し使用のあと乱雑の場合が多々ある、そこで簡単な器械仕組みでペ−パ巻紙短片を繰り出しおき次回所用に綺麗に残す。【解決手段】トイレットペイパホルダ−を所用するとき前回に使用しあらかじめ残留したペ−パ短片を繰り出せば紙切板も突出しペ−パ短片を切り離したときに紙切板は元位置に復帰する。したがって紙切板の突出位置までのペ−パ短片が残留し次回使用にそなえる。【選択図】図１
2013000568.tif 000002
【特許請求の範囲】
【請求項１】
トイレペイパホルダ器（１）の左器械基盤（５）所定位置に配設した回動連芯軸（８）軸心から上方所定位置に紙切扇形盤軸受（９）を配設し左器械基盤（５）と対面する右器械基盤（７）に回動連芯軸（８）と紙切扇形盤軸受（９）心軸同一に押込連軸受（１０）及び右紙切扇形盤軸受（１１）を配設し回動連芯軸（８）に巻紙回動連（１２）を巻紙回動軸孔（１６）で装入し押込連軸受（１０）に巻紙押込盤（１８）と一筋割目（２０）を成形した押込盤軸筒（１９）に形成した巻紙押込連（１３）の押込盤軸筒（１９）に伸縮ばね（２１）を挿着し押込連軸受（１０）に装入ついで紙切扇形盤（２２）の扇形盤軸孔（２３）を中心点に扇形盤右縁先端（２４）および扇形盤左縁先端（２５）と受動扇形縁（２６）に形成さらに所定位置に紙切板取付軸孔（２８）を設けた紙切扇形盤（２２）を紙切扇形盤軸受（９）に装入し受動扇形縁（２６）を円形作動盤（１４）と摺接し紙切扇形盤軸受（９）及び扇形盤軸孔（２３）孔内に繭形状の軸孔コイルばね（３３）を挿着し扇形盤主軸（２９）の扇形盤芯軸（３０）にコイルばね筒（３１）を装着したうえ左紙切板押ばね（３２）の上眼鏡状ばね（３４）に装入し扇形盤主軸（２９）の左端から扇形盤軸孔（２３）と紙切扇形盤軸受（９）に装入ついで扇形盤主軸（２９）の右端から巻紙反動止ばね（４０）を左右取付ばね輪（４１）で装入つぎに右紙切板押ばね（３９）の上眼鏡状ばね（３４）を装入し扇形盤主軸（２９）の右所定固着した右紙切板支持桿（４４）の鍔付取付孔（４５）の右紙切扇形盤軸受（１１）に装入したところで紙切板（２７）の左紙切支点突起（４８）を左紙切板押ばね（３２）の下眼鏡状ばね（３４）に挿入し紙切扇形盤（２２）の紙切板取付軸孔（２８）に装入し右紙切支点突起（４８）も右紙切板押ばね（３９）の下眼鏡状ばね（３４）に挿入して右紙切板支持桿（４４）の右紙切板取付軸孔（４６）に装入し巻紙反動止ばね（４０）の巻紙反動留（４２）を紙切板（２７）の反動止ばね口（４９）から挿入し紙切板（２７）の紙切縁（４７）背後に配置しまた左側扇形盤復帰ばね（３８）および右側扇形盤復帰ばね（３８）により紙切扇形盤（２２）と右紙切板支持桿（４４）に接続する紙切板（２７）を元位置（背面外装５０の方向内側）に押圧さらに左（右）紙切押ばね（３７）の紙切板（２７）表面当圧で紙切縁（４７）を巻紙芯管（２）上面に圧接しついでホルダ前縁（３６）に支点掛金（３５）及び巻紙反動留ばね掛（４３）を引っ掛けたトイレペイパホルダ器。
【発明の詳細な説明】
【技術分野】
【０００１】  トイレペイパホルダ−の巻紙短片を繰出し切り離す仕組みに関係するものである。
【背景技術】
【０００２】  ペイパホルダに装着した巻紙芯管を手動で繰出し適宜の長さに紙切板で切り離す。
【先行技術文献】
【特許文献】
【０００３】
【特許文献１】特開２００９−１０６７１７号  巻紙保持機器具
【特許文献２】特開２０１０−０１２１８７号  半自動巻紙ホルダ
【特許文献３】特開２０１０−１２５３１３号  ワンタツチ巻紙ホルダ
【特許文献４】特開２０１１−００５２０３号  ペ−パホルダの巻紙短片繰出装置
【特許文献５】特願２０１０−２９４８８１号  巻紙がま口ホルダ
【発明の概要】
【発明が解決しようとする課題】
【０００４】  トイレペイパホルダの巻紙芯管を手回動させずに巻紙端片を繰り出す器械仕組。【０００５】  巻紙端片を繰り出したときに巻紙芯管が回動し器械仕組で紙切板が動作する。【０００６】  紙切板は巻紙端片の繰り出しと共に引き出され巻紙端片の切り離なしで元位置復帰。【０００７】  本器械仕組は紙切板を巻紙芯管の一方向回動にもかかわらず往復動作するにある。
【課題を解決するための手段】
【０００８】  巻紙回動連先端の動作円盤に紙切板を付着した紙切扇形盤を当接連動し紙切板の紙切縁を巻紙芯管の上面に当てておき巻紙短片を繰り出せば紙切扇形盤も作動し限度位置に達したところで巻紙端片を切り離せば紙切扇形盤は元位置に復帰する。
【発明の効果】
【０００９】  トイレペイパホルダ器は簡単仕組で軽便に巻紙端片を繰り出し切り離しを奇麗にする。
【図面の簡単な説明】
【００１０】
【図１】  トイレペイパホルダ器の要部構成仕組簡略斜視図。
【図２】  トイレペイパホルダ器の要部構成仕組並列平面図。
【図３】  トイレペイパホルダ器の図２Ａ−Ａ線に沿う動作要部元位置左側面図。
【図４】  トイレペイパホルダ器の図３につづく要部作動左側面図。
【図５】  トイレペイパホルダ器の図４につづく要部作動左側面図。
【図６】  トイレペイパホルダ器の図５につづく要部作動左側面図。
【図７】  トイレペイパホルダ器の図２Ｂ−Ｂ線に沿う要部動作左側面図。
【発明を実施するための形態】
【００１１】  図１に示すトイレペイパホルダ器１の外郭装（アートケ−ス）は高品質柔軟性の合成樹脂材で成形し前面開放側を一時拡幅にし当器械仕組の挿入装着を容易にする。
【００１２】  図１及び図２及び図３及び図７に示すように左側外装面４の内側面に左器械基盤５を、右側外装面６の内側面に右器械基盤７をそれぞれの所定した位置に装着する。
【００１３】  図２と図３に示す左器械基盤５下方向所定位置に配設した回動連芯軸８及び同芯軸８の軸心から上方向所定離間位置に紙切扇形盤軸受９を各々成形配設する。
【００１４】  次ぎに図７に示す右器械基盤７に回動連芯軸８軸心と対面所定位置に押込連軸受１０と紙切扇形盤軸受９軸心と対面所定位置に右紙切扇形盤軸受１１を成形配設する。ついで、回動連芯軸８に巻紙回動連１２を押込連軸受１０に巻紙押込連１３を装入着する。
【００１５】  図２に示す回動連芯軸８に装入着する巻紙回動連１２の左端を円形作動盤１４にし右端を半球面の外周歯形円板１５にし巻紙芯管２を固着するようにし、巻紙回動連１２中心軸に巻紙回動軸孔１６を貫設し回動連芯軸８に挿入したうえ同芯軸８右端に刻設した歯留溝１７に抜け出し防止金具を挿着のうえ回動するようにしておく。
【００１６】  図２及び図７に示す巻紙押込連１３は左端面を皿形状の巻紙押込盤１８に右端を押込盤軸筒１９の茸子形態で図示のように右側方向に拡径円錐状で縦長に一筋割目２０を成形し押込盤軸筒１９右端から筒内に伸縮ばね２１を挿入し押込連軸受１０に装入する。
【００１７】  図２に示すように押込連軸受１０の軸孔内形状は押込盤軸筒１９の円錐外形同等で伸縮ばね２１を挿入した押込盤軸筒１９を一筋割目２０により一旦縮径して押込連軸受１０に装入し押込連軸受１０の軸孔内で拡径回復すれば押込盤軸筒１９と押込連軸受１０は密接し伸縮ばね２１で巻紙押込連１３は左方向え所定突出し押込連軸受１０に限定した往復摺動作し巻紙押込連１３は押込連軸受１０から抜け脱落することはないが巻紙押込連１３は単独作動仕組になり保守点検整備上に押込盤軸筒１９を人手で縮径し抜き差しできる。
【００１８】  全図に示す紙切扇形盤２２の外形状は扇形盤軸孔２３中心を基点の正及び二等辺三角形に非ずして扇形盤軸孔２３中心点から扇形盤右縁先端２４は扇形盤左縁先端２５の幅より長く（＋２ミリ）設定、また扇形盤右縁先端２４と左縁先端２５の側端縁長さは扇形盤軸孔２３中心近似点を中心にした受動扇形縁２６にし、さらに紙切扇形盤２２の扇形盤軸孔２３中心から扇形盤左縁先端２５内側沿い所定位置に紙切板２７の紙切板取付軸孔２８を配設し、扇形盤軸孔２３内に硬質樹脂管或いはメタルパイプの軸受を装入固着しておく。受動扇形縁２６は扇形盤右縁先端２４と扇形盤左縁先端２５を結ぶ正扇形縁になるが扇形盤軸孔２３中心の同心円ではなく扇形盤右縁先端２４を支点にした内縁側に入り込む。
【００１９】  図１及び図２と図３に示す紙切扇形盤２２を支持する扇形盤主軸２９左端を段差縮径し扇形盤芯軸３０を形成しコイルばね筒３１を左端から挿着し外周に左紙切板押ばね３２を装入し扇形盤芯軸３０に繭形の軸孔コイルばね３３を装入しその両端を扇形盤芯軸３０に固着せしめ紙切扇形盤２２の扇形盤軸孔２３を貫通し左器械基盤５の紙切扇形盤軸受９と可動に装着し紙切扇形盤２２は巻紙回動連１２の円形作動盤１４に着接上下微動しながら巻紙芯管２を挿着された円形作動盤１４の一方回動に対し往復動せしめる。
【００２０】  図２及び図３に示す左紙切板押ばね３２は上下眼鏡状ばね３４の上眼鏡状ばね３４右端を所定延長折曲し支点掛金３５としホルダ前縁３６裏側に引っ掛け下眼鏡状ばね３４右一端を所定延長折曲し左（右）紙切押ばね３７にさらに上下眼鏡状ばね３４左両端を直結した扇形盤復帰ばね３８とし左紙切板押ばね３２と右紙切板押ばね３９は左右対称になる。
【００２１】  左紙切板押ばね３２及び右紙切板押ばね３９の上下眼鏡状ばね３４の中心間隔は紙切扇形盤２２の扇形盤軸孔２３の中心と紙切板取付軸孔２８の中心間隔距離と同一である。
【００２２】  図２と図３に示す扇形盤主軸２９右端を右器械基盤７の右紙切扇形盤軸受１１に装入する際先に巻紙反動止ばね４０の左右取付ばね輪４１を挿入し、左右取付ばね輪４１の外側線をＵ字形にし先端縁を直行にし巻紙反動留４２にし左右取付ばね輪４１の内側線を所定延長折曲し巻紙反動留ばね掛４３にする。
【００２３】  図２及び図７に示す扇形盤主軸２９右端所定位置に固着した右紙切板支持桿４４の鍔付取付孔４５の中心から所定離間位置に右紙切板取付軸孔４６を穿設し鍔付取付孔４５の鍔外周に右紙切板押ばね３９の上下眼鏡状ばね３４を挿入したうえ扇形盤主軸２９右最端を右器械基盤７の右紙切扇形盤軸受１１に可動装入する。
【００２４】  図１と図２と図３に示す紙切板２７は「ちり取」をさかさまにした箱蓋形で紙切板２７の右先端を紙切縁４７にし左側端縦長を片持にした両横側面所定位置同一中心軸に左右紙切支点突起４８を形成し、さらに左側端縦長上面縁の中央に所定形状になる反動止ばね口４９を形成、また内側縦長幅は巻紙芯管２の規格寸法（約１１５粍）の＋目数値である。
【００２５】  ついで紙切板２７を装置する際は巻紙反動止ばね４０の巻紙反動留４２を反動止ばね口４９から内面に挿入し紙切縁４７の背後に巻紙反動留４２を配置し巻紙反動留ばね掛４３をホルダ前縁３６に引っ掛け紙切板２７の左右紙切支点突起４８で紙切扇形盤２２の紙切板取付軸孔２８及び右紙切板支持桿４４の右紙切板取付軸孔４６に装入懸架する。
【００２６】  紙切板２７の左右紙切支点突起４８を左紙切板押ばね３２と右紙切板押ばね３９の上下眼鏡状ばね３４の下眼鏡状ばね３４に挿入し、左右紙切支点突起４８を紙切扇形盤２２の紙切板取付軸孔２８と右紙切支持桿４４の右紙切板取付軸孔４６に可動装入し左（右）紙切押ばね３７により紙切板２７に圧接すれば紙切扇形盤２２の紙切板取付軸孔２８と右紙切支持桿４４の右紙切板取付軸孔４６は縦長片持ゆえに多少捻じり状になるが巻紙回動連１２と巻紙押込連１３に巻紙芯管２を挿着し紙切板２７の紙切縁４７が当接平行になる。
【００２７】  以上、トイレペイパホルダ器１の左側外装面４内面に固着する左器械基盤５及び右側外装面６内面に固着する右器械基盤７に直接機素を仕組込みする場合も、また左器械基盤５及び右器械基盤７をトイレペイパホルダダ器１と分離仕組工程の終了後の合体組立の際、トイレペイパホルダ器１の前面縦長幅を一時拡幅して分離組立部を挿入して装着する。
【００２８】  トイレペイパホルダ器１を壁面等に背面外装５０の器具取付穴５１でねじ留めをする。
【実施例】
【００２９】  トイレペイパホルダ器１の下方より巻紙芯管２を挿入し紙切板２７の紙切縁４７と巻紙反動止ばね４０の巻紙反動留４２に巻紙芯管２上面を当接し持ちあげながら巻紙芯管２の右端を巻紙押込連１３の巻紙押込盤１８に押し当てると共に左端を巻紙回動連１２の外周歯形円板１５に挿着すれば巻紙押込盤１８は押込盤軸筒１９内の伸縮ばね２１の左方向側延伸圧により巻紙芯管２は巻紙回動連１２と巻紙押込連１３に挿着保持せられる。【００３０】  図１と図２と図３に示す巻紙芯管２を所定箇所に挿着することで左紙切板押ばね３２と右紙切板押ばね３９および巻紙反動止ばね４０の巻紙反動留４２のばね類の紙切板２７の当接箇所は各ばねの用向位置により異なるが殊に左紙切板押ばね３２は多用である。【００３１】  図２及び図３と図７に示す左紙切板押ばね３２は上眼鏡状ばね３４を紙切扇形盤２２の扇形盤主軸２９に装入し支点掛金３５でホルダ前縁３６に引っかけ着接し、下眼鏡状ばね３４を紙切扇形盤２２の紙切板取付軸孔２８と同心にし左紙切支点突起４８を装入すると同様に右紙切板押ばね３９を装入した右紙切板支持桿４４の右紙切板取付軸孔４６に右紙切支点突起４８を装入し支点掛金３５でホルダ前縁３６に着接し、左紙切押ばね３７及び右紙切押ばね３７で紙切板２７を抑えおき扇形盤復帰ばね３８は紙切扇形盤２２及び右紙切板取付軸孔４６を左方向に押し込みにより扇形盤右縁先端２４は円形作動盤１４に直接し扇形盤左縁先端２５は背面外装５２の内側面に接触の位置に待機し右紙切板支持桿４４は紙切板２７を懸架したうえ紙切扇形盤２２と扇形盤主軸２９で連動する。【００３２】  図２と図３と図４に示す軸孔コイルばね３３の撥動で紙切扇形盤２２の扇形盤右縁先端２４は円形作動盤１４に圧接し巻紙芯管２を回動し巻紙端片３を繰り出すと扇形盤右縁先端２４が圧接摺動しながらトイレペイパホルダ器１の前面裏側に接触停止し扇形盤左縁先端２５と着接位置がわりし巻紙端片３を切り離なしと同時に円形作動盤１４と巻紙芯管２は停止し紙切扇形盤２２のやや左上向登坂状の受動扇形縁２６が円形作動盤１４の周面を滑走し紙切扇形盤２２と紙切板２７は元位置復帰し巻紙端片３が残留し次回準備をする。【００３３】  また左紙切板押ばね３２と右紙切板押ばね３９と左・右紙切押ばね３７及び巻紙反動止ばね４０の撥動度合は紙切板２７の用向動作と巻紙芯管２の反動止に限定。（巻紙芯管２の挿入着を容易にする。）以上仕組と作動を記述したが次いで取り扱いかたを記述する。【００３４】  図３はトイレペイパホルダ器１に巻紙芯管２を挿着した所用前の形態だが巻紙芯管２を手動回動し巻紙端片３を人手で適宜長さに出しておき初回の所用分に準備する。（紙切扇形盤２２の扇形盤右縁先端２４が円形作動盤１４に圧接し紙切板２７も元位置に在る。）【００３５】  図４は巻紙端片３を繰り出し紙切板２７の紙切縁４７で切り離なせば紙切扇形盤２２と右紙切板支持桿４４は紙切板２７を懸架しながら元位置に戻る。（円形作動盤１４に紙切扇形盤２２の摺接を停止し扇形盤左縁先端２５の着接を解除し元位置に復帰する。）【００３６】  図５と図６は巻紙芯管２の消費で直径減衰に伴ない追従し紙切板２７が紙切扇形盤２２の紙切板取付軸孔２８と右��切板取付軸孔４６を支点に紙切縁４７の側端を徐々に下向するが巻紙反動止ばね４０の巻紙反動留４２の巻紙芯管２の減衰追従には限度あり巻紙芯管２は小径に成るほど自力反転回動性は少なくなる。
【産業上の利用可能性】
【００３７】  トイレペイパホルダ器は付加機能仕組になり市販一般器具と同様の簡便使用になり将来需要で新衛生設備近代化著しい我国は勿論のこと全世界諸国にも適当であると願望する。
【符号の説明】
【００３８】１    トイレペイパホルダ器
２    巻紙芯管
３    巻紙端片
４    左側外装面
５    左器械基盤
６    右側外装面
７    右器械基盤
８    回動連芯軸
９    紙切扇形盤軸受
１０  押込連軸受
１１  右紙切扇形盤軸受
１２  巻紙回動連
１３  巻紙押込連
１４  円形作動盤
１５  外周歯形円板
１６  巻紙回動軸孔
１７  歯止溝
１８  巻紙押込盤
１９  押込盤軸筒
２０  一筋割目
２１  伸縮ばね
２２  紙切扇形盤
２３  扇形盤軸孔
２４  扇形盤右縁先端
２５  扇形盤左縁先端
２６  受動扇形縁
２７  紙切板
２８  紙切板取付軸孔
２９  扇形盤主軸
３０  扇形盤芯軸
３１  コイルばね筒
３２  左紙切板押ばね
３３  軸孔コイルばね
３４  上下眼鏡状ばね
３５  支点掛金
３６  ホルダ前縁
３７  左紙切押ばね
３８  扇形盤復帰ばね
３９  右紙切板押ばね
４０  巻紙反動止ばね
４１  左右取付ばね輪
４２  巻紙反動留
４３  巻紙反動留ばね掛
４４  右紙切板支持桿
４５  鍔付取付孔
４６  右紙切板取付軸孔
４７  紙切縁
４８  左右紙切支点突起
４９  反動止ばね口
５０  背面外装
５１  器具取付穴
【図１】
2013000568.tif 000003
【図２】
2013000568.tif 000004
【図３】
2013000568.tif 000005
【図４】
2013000568.tif 000006
【図５】
2013000568.tif 000007
【図６】
2013000568.tif 000008
【図７】
2013000568.tif 000009